(57)【要約】【課題】 この発明は、レンタル品提供者と、管理者と、レンタル品借受者とからなるアフェリエイトを利用したレンタル品システムに関する。【解決手段】 レンタル品識別番号を設定する手段と、該レンタル品識別番号とレンタル品の属性データ及びレンタル品提供者の属性データを関連づけて記録する管理用データベースと、レンタル申込広告にリンクされた管理者サイトのアドレスに前記識別番号を埋め込む手段と、申込識別番号を設定する手段と、レンタル品借受者によるレンタル申込広告のリンククリックにより、前記レンタル品識別番号を取得し、申込識別番号、レンタル属性データ及びレンタル品借受者属性データを関連づけて前記管理データベースに記憶させる手段と、レンタル品の受け渡し手段及び返却手段と、レンタル料の会計手段とからなっていることを特徴とする。【選択図】図１
2011192079.tif 000002
【特許請求の範囲】
【請求項１】
コンピュータネットワークを利用したレンタル
レンタル品提供者の端末からの要求により管理者のサーバがレンタル品識別番号を設定する手段と、
該レンタル品識別番号とレンタル品提供者の端末から入力されたレンタル品名やレンタル品所在地等のレンタル品情報及びレンタル品提供者の住所、氏名等のレンタル品提供者情報を関連づけて前記サーバの記録装置に管理用データベースとして記録する手段と、
インターネット上のサイト又はメールに設けたレンタル申込用のレンタルリンクに関連づけられる管理者のサーバのアドレスに前記識別番号を埋め込む手段と、
レンタル品借受者の端末からの要求により管理者のサーバが申込識別番号を設定する手段と、
レンタル品借受者による前記レンタルリンクのリンククリックにより、前記アドレスからレンタル品識別番号を取得し、該取得したレンタル品識別番号に申込識別番号を関連づけると共に、該申込識別番号に関連づけてレンタル品借受者の端末から入力されたレンタル期間などのレンタル情報及びレンタル品借受者の住所、氏名等のレンタル品借受者情報を前記管理データベースに記憶させる手段と、
該管理データベースを基に、レンタル条件の一致を判定するレンタル契約判定手段と、
レンタル契約成立と判定されたレンタル品に関連する情報を前記管理用データベースから呼び出し、運送責任者の端末に前記レンタル申込みのあったレンタル提供者からのレンタル品の受取り、及び受け取ったレンタル品をレンタル品借受者への配送の指示を行う受け渡し手段と、
レンタル期間終了後に運送責任者の端末に前記レンタル品借受者からのレンタル品の回収、及び回収したレンタル品のレンタル提供者への配送の指示を行う返却手段と、
前記管理データベースのレンタル期間に基づいて、レンタル品借受者の端末に管理者側へレンタル料の支払いを要求し、受領したレンタル料の所定割合をレンタル品提供者に支払う会計手段とからなっていることを特徴とするレンタル品システム。
【請求項２】
レンタル申込広告が、アフェリエイト広告からなっていることを特徴とする請求項１に記載のレンタル品システム。
【請求項３】
レンタル品借受者によるレンタル申込広告のリンククリックにより、管理者及びレンタル品提供者にメールが配信されることを特徴とする請求項１又は２に記載のレンタル品システム。
【発明の詳細な説明】
【技術分野】
【０００１】
この発明は、レンタル品提供者の端末と、管理者のサーバと、レンタル品借受者の端末とをコンピュータネットワークを介して接続すると共に、アフェリエイトを利用したレンタル品システムに関する。
【背景技術】
【０００２】
従来、例えば、特開２００２−１９７３０７号のレンタル品システムでは、広域データ通信網を介して送信された供給者からの賃貸希望情報と受給者からの賃借希望情報を受信蓄積するとともに両希望情報の一致によって予約成立を判断し、この予約成立を賃貸希望情報と賃借希望情報を送信した供給者と受給者に通知するレンタル仲介手段を備えたレンタル品システムが開示されている。
この種のレンタル品システムでは、供給者がレンタル用商品を予め仲介サーバに登録しておき、仲介サーバのデータベースを閲覧し、検索した受給者がレンタル期間となるスケジュール等の条件を調べて一致すると条件の細部を取り決めて予約の成立を認める構成となっている。
そのため、レンタル品は、仲介サーバのサイト内でしか選べることができず、商品の選択の幅が狭まるという欠点がある。
また、供給者側も、受給者が限定されるという問題点があった。
【先行技術文献】
【特許文献】
【０００３】
【特許文献１】特開２００２−１９７３０７号
【発明の概要】
【発明が解決しようとする課題】
【０００４】
この発明は上記事情に鑑みて、創案されたものであって、その主たる課題は、レンタル広告をサーバに限らず、レンタル品提供者のサイトやその他のサイトに貼ったレンタル申込広告や、メールに設けたレンタル申込広告に管理者サイトのアドレスをリンクしておき、レンタル広告の人目に触れる機会を広げるて、レンタルの貸借を希望する人に手軽にレンタルすることができるコンピュータネットワークを利用したレンタル業用のシステムを提供することにある。
また、上記レンタル申込広告をクリックすることで、リンクされた管理者サイトのＵＲＬに埋め込まれたレンタル品又は提供者の識別番号を管理者のサイトで取得することができ、管理データベースとの関連づけで、レンタル品の運搬や会計処理を容易に行うことができる。
これにより、個人や企業などの物品所有者が、手軽にその物品を他の希望者にレンタルして物品の利用を共有化することができ、ライフシェアリングを実現するビジネスモデルを構築することができる。
ここでライフシェアリングとは、全ての人々が生活（ライフ）を共有化して資源の有効活用しエコロジー社会に資することをいう。
【課題を解決するための手段】
【０００５】
この発明は、上記課題を解決するために、請求項１の発明では、
レンタル品提供者の端末からの要求により管理者のサーバがレンタル品識別番号を設定する手段と、
該レンタル品識別番号とレンタル品提供者の端末から入力されたレンタル品名やレンタル品所在地等のレンタル品属性データ及びレンタル品提供者の住所、氏名等のレンタル品提供者属性データを関連づけて前記サーバの記録装置に管理用データベースとして記録する手段と、
インターネット上のサイト又はメールに設けたレンタル申込用のレンタルリンクに関連づけられる管理者のサーバのアドレスに前記識別番号を埋め込む手段と、
レンタル品借受者の端末からの要求により管理者のサーバが申込識別番号を設定する手段と、
レンタル品借受者による前記レンタルリンクのリンククリックにより、前記アドレスからレンタル品識別番号を取得し、該取得したレンタル品識別番号に申込識別番号を関連づけると共に、該申込識別番号に関連づけてレンタル品借受者の端末から入力されたレンタル期間などのレンタル情報及びレンタル品借受者の住所、氏名等のレンタル品借受者情報を前記管理データベースに記録させる手段と、
該管理データベースを基に、レンタル条件の一致を判定するレンタル契約判定手段と、
レンタル契約成立と判定されたレンタル品に関連する情報を前記管理用データベースから呼び出し、運送責任者の端末に前記レンタル申込みのあったレンタル提供者からのレンタル品の受取り、及び受け取ったレンタル品をレンタル品借受者への配送の指示を行う受け渡し手段と、
レンタル期間終了後に運送責任者の端末に前記レンタル品借受者からのレンタル品の回収、及び回収したレンタル品のレンタル提供者への配送の指示を行う返却手段と、
前記管理データベースのレンタル期間に基づいて、レンタル品借受者の端末に管理者側へレンタル料の支払いを要求し、受領したレンタル料の所定割合をレンタル品提供者に支払う会計手段とからなっていることを特徴とする。
【０００６】
また、請求項２の発明では、
前記レンタル申込広告が、アフェリエイト広告からなっていることを特徴とする。
更に、請求項３の発明では、
前記レンタル品借受者によるレンタル申込広告のリンククリックにより、管理者及びレンタル品提供者にメールが配信されることを特徴とする。
【発明の効果】
【０００７】
この発明に係るコンピュータネットワークを介したレンタル品システムは、上記構成からなっているので、管理者のサイトに限らず、レンタル品提供者の開設するサイトや関連するサイトにレンタル申込広告を貼ったり、メールの広告にレンタル申込広告を貼り付けておくことができるので、レンタル品借受者の対象を拡大することができる。
また、レンタル申込広告にリンクされたアドレス（管理者のサイトのＵＲＬ）にレンタル品又はレンタル提供者の識別番号を埋め込むことで、管理者側ではレンタル品又はレンタル提供者の情報を直ちに知ることができ、管理データベースに関連づけたデータを引き出すことができる。
また、レンタル品借受者は、管理者のサイトにアクセスした人に限らないので、レンタルの対象範囲を拡大することができる。
また、管理データベースを基に、レンタル品の配送データと返却データを容易に取得できるので、運搬責任者への指示や会計処理を自動化することができる。
また、用途に応じて、レンタル品のアンケートを実施したり、掲示板機能を用いて、レンタル品の使用法や活用法を情報交換を行えるようにしてもよい。
これにより、個人や企業などの物品所有者が、手軽にその物品を他の希望者にレンタルして物品の利用を共有化することができ、ライフシェアリングを実現することができる。
【図面の簡単な説明】
【０００８】
【図１】レンタル品システムを説明する機能ブロックズである。
【発明を実施するための形態】
【０００９】
以下に、この発明のコンピュータネットワークＮを介したレンタル品システム１の好適実施例について図１を参照しながら説明する。
【実施例１】
【００１０】
このレンタル品システム１は、まず、レンタル品提供者が、自己の使用する端末Ｔ１からコンピュータネットワークＮを介してサーバＳ１にアクセスし、レンタル品識別番号を要求する。
この要求を受けたサーバＳ１は、レンタル品情報（商品名、所在地、レンタル可能期間などのレンタル品の属性データ）と、レンタル品提供者情報（住所、氏名などのレンタル品提供者の属性データ）の入力を要求し、レンタル品提供者は端末Ｔ１からそれらのデータを入力する。
【００１１】
これに基づいてサーバＳ１は、前記データの入力を確認し、レンタル品識別番号設定手段２によってレンタル品識別番号を設定し、サーバＳ１からレンタル品提供者の端末Ｔ１にレンタル品識別番号が送信される。
また、前記識別番号が識別番号埋込手段３によって、後述のレンタルリンクに関連づけられる管理者のサーバＳ１のアドレス中に前記識別番号が埋め込まれる。
このアドレスは、レンタル品提供者の端末Ｔ１に、前記識別番号と共に送信されるが、この発明ではレンタル品提供者側でアドレスに識別番号を埋め込んでもよい。
【００１２】
一方、管理者の前記サーバＳ１に接続された記憶装置Ｍに設けられた管理用データベースＤには、前記レンタル品識別番号と、これに関連づけらて前記入力されたレンタル品情報及びレンタル品提供者情報が記録手段１０により記録される。
また、上記管理用データベースＤに基づいて、サーバＳ１のサイトにはレンタル申込募集用のページが開設される(図示せず)。
【００１３】
レンタル品提供者は、管理者のサイトＳ１以外に、自己の端末Ｔ１を介して自己のサイト又は関連するインターネット上のサイトに前記レンタルリンクに関連づけられたレンタル申込広告のバナーを貼り付け、又は配信用メールのリンク先としてレンタル申込広告のアドレスを貼り付ける。
従って、レンタル品借受者が前記いずれかのレンタル申込広告をクリックすることで、管理者の申込募集用のサーバＳ１のレンタルサイトにリンクされる。
【００１４】
レンタル品借受者は、自己の端末Ｔ２からコンピュータネットワークＮを介して前記サーバＳ１のレンタル申込募集用のサイトにアクセスして、所望の商品をレンタルすることができる。
また、レンタル品借受者は、前記レンタルサイトにアクセスしなくても、前記端末Ｔ２により、コンピュータネットワークＮを介してレンタル品提供者のサイトや他のサイトに貼り付けられた前記レンタル申込広告のバナーやをレンタル品借受者に配信されたメールのリンクをリンククリックしてレンタルを申し込むことができる。
【００１５】
即ち、管理者は、前記レンタルリンクを受け取ることで、前記アドレスからレンタル品識別番号を取得する。
そして、前記レンタル品借受者の端末Ｔ２に、レンタル情報（商品名、レンタル期間、レンタル品届け先などのレンタル属性データ）及びレンタル品借受者情報（レンタル品借受者の住所、氏名等のレンタル品借受者属性データ）の入力を要求する
【００１６】
レンタル品借受者が端末Ｔ２から前記入力を行うと、管理者のサーバＳ１は、申込識別番号設定手段４により申込識別番号を設定し、レンタル品借受者の端末Ｔ２に申込識別番号を送信する。
そこで、管理データベースＤには、前記申込識別番号と、前記レンタル属性データ、及びレンタル品借受者属性データが、前記レンタル品識別番号に関連づけられて記録手段１０により記録される。
【００１７】
ここで、レンタル可能期間などの条件がある場合には判定手段５が用いられる。
即ち、レンタル品借受者のレンタル期間と、レンタル品提供者のレンタル可能期間とがマッチすると判定手段５で成約と判定される。
成約と判定されると、配送手段６により、前記管理データベースＤを基に、運送責任者の端末Ｔ３に、前記レンタル申込みのあったレンタル品のレンタル提供者からの受取りの指示データ（レンタル提供者の氏名、住所、レンタル品所在地など）、と、受け取ったレンタル品をレンタル品借受者へ配送する指示データ（レンタル品借受者の住所、氏名、レンタル品届け先など）が出力される。
【００１８】
また、前記管理データベースＤを基に、レンタル期間が終了と判定されると、回収手段７により、サーバＳ１からコンピュータネットワークＮを介して運送責任者の端末Ｔ３に、前記レンタル品借受者からのレンタル品の回収の指示データと、回収したレンタル品のレンタル提供者への配送の指示データが出力される。
【００１９】
同様に、会計処理手段８により、前記管理データベースＤのレンタル期間に基づいて、レンタル品借受者の端末Ｔ２にサーバＳ１からレンタル料の請求書データがサーバＳ１からコンピュータネットワークＮを介して送信されて支払いを要求し、受領したレンタル料は、サーバＳ１からレンタル料の予め定めた割合の金額を支払うデータをサーバＳ１からコンピュータネットワークＮを介してレンタル品提供者の端末Ｔ１に送信する。
【００２０】
なお、この発明では、レンタル申込広告が、アフェリエイト広告からなっていてもよい。
また、レンタル品借受者によるレンタル申込広告のリンククリックにより、管理者及びレンタル品提供者に申込があった旨のメールが配信されるようになっていてもよい。
その他、要するにこの発明の要旨を変更しない範囲で種々設計変更しうること勿論である。
【符号の説明】
【００２１】
１  レンタル品システム
２  レンタル品識別番号設定手段
３  識別番号埋込手段
４  申込識別番号設定手段
５  判定手段
６  配送手段
７  回収手段
８  会計処理手段
１０  記録手段
Ｎ  コンピュータネットワーク
【図１】
2011192079.tif 000003